(57)【要約】【課題】敷設場所の温度上昇抑制効果を長時間維持できる人工芝生を提供する。【解決手段】芝糸間に充填材を充填させた充填層に、ヤシ充填材を含む下層と、ヤシ充填材よりも日射反射率の大きな充填材を主とする表面層とを形成する。ヤシ充填材を含むので、気温が上昇したときにヤシ充填材が含む水分が気化することによって気化熱による温度上昇抑制効果を得ることができる。前記表面層を備えるので、前記ヤシ充填材が外気へ直接接触しにくく、その急激な乾燥を抑制させて温度上昇抑制効果を長時間維持でき、ヤシ充填材よりも日射反射率の大きな充填材で前記表面層を形成するので、強い日光を受けたときでも下層に含まれるヤシ充填材の温度上昇を抑制できる。【選択図】        図１
2018123522.tif 000002
【特許請求の範囲】
【請求項１】
芝糸が基布に植設され、前記植設された芝糸間に充填材が充填されて充填層が設けられた人工芝生であって、
前記充填層は、天然ヤシをベースにしたヤシ充填材を含む下層と、前記充填層の最も上方に配置される表面層を備え、
前記表面層が前記ヤシ充填材の日射反射率よりも大きな日射反射率の充填材を主として形成されていることを特徴とする人工芝生。
【請求項２】
前記表面層が前記下層の上に接するように配置されると共に、該下層を覆うように設けられていることを特徴とする請求項１に記載の人工芝生。
【請求項３】
前記表面層が前記ヤジ充填材よりも日射反射率が大きな充填材のみで形成されていることを特徴とする請求項１又は２に記載の人工芝生。
【請求項４】
前記表面層が弾性材料で形成された弾性粒を含む充填材で形成されていることを特徴とする請求項１〜３のいずれかに記載の人工芝生。
【発明の詳細な説明】
【技術分野】
【０００１】
本発明は、設置場所の温度上昇抑制を長時間継続できる人工芝生に関するものである。
【背景技術】
【０００２】
人工芝生は、球技や陸上競技などのスポーツを行う競技場のほか、公園や屋上などの憩いのスペースなどにもよく用いられており、その芝葉を模した芝糸間に粒体を充填させて充填層を設けた種々の人工芝生が提案されている。
【０００３】
例えば、特許文献１には、ブレードが芝生を創るマットの１つの側面から突出して形成するために人工材料の複数のブレードが織られる上に置かれる、マットからなる芝生または芝生一次層：前記ブレード間に配置される充填材で、前記充填材は細かく砕いたココナッツに基づく原料から得られる粗い生産物の計測量を含み；を含む人工芝生であって、前記粗い生産物は細かく砕いたココナッツに基づく原料に含有する単独の粒状および繊維状部分を本質的に含み、前記粒状および繊維状部分は細かく砕いたココナッツに基づく前記原料を粉末部分から前記粒状および繊維状部分の分離工程に経ることで得られ、前記粗い生産物に含有される前記粒状および繊維状部分は細かく砕いたココナッツに基づく前記原料をふるいにかけることによって得られ、前記粒状および繊維状部分は９０重量％まで５００ミクロン（μｍ）以上の粒度分布を有することを特徴とする人工芝生、が提案されている。
【先行技術文献】
【特許文献】
【０００４】
【特許文献１】特表２０１０−５２３８５５号公報
【発明の概要】
【発明が解決しようとする課題】
【０００５】
特許文献１に記載される人工芝生は、人工芝の過熱を抑制するココナッツに基づく原料の粒度分布を調整して良好な排水性などを得られるように設けられているが、日差しが強いなどの要因によってココナツに基づく原料が乾燥すると、温度上昇を抑制する効果が早期に低減してしまう恐れがあった。
【０００６】
本発明は、敷設場所の温度上昇抑制効果を長時間維持できる人工芝生を提供するものである。
【課題を解決するための手段】
【０００７】
上記目的を達成するため、本発明は以下のような構成としている。
すなわち本発明に係る人工芝生は、芝糸が基布に植設され、前記植設された芝糸間に充填材が充填されて充填層が設けられた人工芝生であって、前記充填層は、天然ヤシをベースにしたヤシ充填材を含む下層と、前記充填層の最も上方に配置される表面層を備え、前記表面層が前記ヤシ充填材の日射反射率よりも大きな日射反射率の充填材を主として形成されていることを特徴とするものである。
【０００８】
本発明に係る人工芝生によれば、芝糸間に充填させた充填層に天然ヤシをベースにしたヤシ充填材を含むので、気温が上昇したときにヤシ充填材が含む水分が気化することによって気化熱による温度上昇抑制効果を得ることができる。
また、前記ヤシ充填材を含む下層と、前記充填層の最も上方に配置させる表面層を備えるので、下層に含まれる前記ヤシ充填材が外気へ直接接触しにくく、その急激な乾燥を抑制させて温度上昇抑制効果を長時間維持できる。
また、前記ヤシ充填材の日射反射率よりも大きな日射反射率の充填材を主として前記表面層を形成するので、強い日光を受けたときでも下層に含まれるヤシ充填材の温度上昇を抑制でき、温度上昇による急激な乾燥を抑制させて温度上昇抑制効果を長時間維持できる。
【０００９】
また、前記表面層を前記下層の上に接するように配置させれば、下層に含まれる前記ヤシ充填材が充填層の表面近くに配置されるので、下層のヤシ充填材による温度上昇抑制効果を好適に得ることができる。
また、前記下層を覆うように前記表面層を設けるので、下層に含まれるヤシ充填材の外気へ直接的な接触がより抑制され、温度上昇抑制効果を長時間維持でき、好ましい。
【００１０】
また、前記表面層を前記ヤシ充填材よりも日射反射率が大きな充填材のみで形成すれば、強い日光を受けたときに下層に含まれるヤシ充填材の温度上昇をより効果的に抑制でき、温度上昇抑制効果を長時間維持できるので、好ましい。
【００１１】
また、前記表面層を弾性材料で形成させた弾性粒を含む充填材で形成すれば、充填層の上を人が踏むなどして力が加えられたとき、前記表面層の弾性粒が弾性的に変形して前記下層への力の伝達を低減し、前記下層の充填材の移動を抑制するので、この下層に含まれる前記ヤシ充填材が充填層の表面へ移動しにくくなされるので、好ましい。
【発明の効果】
【００１２】
本発明に係る人工芝生によれば、敷設場所の温度上昇抑制効果を長時間維持できる。
【図面の簡単な説明】
【００１３】
【図１】本発明に係る人工芝生の実施の一形態を示す断面図である。
【図２】人工芝生の表面温度を測定した結果の表と、そのグラフである。
【発明を実施するための形態】
【００１４】
本発明の実施の一形態を図面に基づき具体的に説明する。
基礎層１は、地面へのアスファルトコンクリートや透水コンクリートの打設等によって、上面が平坦面に形成されている。
基礎層１は、透水コンクリートなど透水性の材料を用い、それ自体が透水性を有して上方から流れてくる雨水などを下方へ排水させるように設けてもよく、アスファルトコンクリートなど非透水性の材料を用いて形成させ、その上面に排水用の溝などを形成させて、上方からの雨水などを横方向へ排水させるように設けても良く、これら以外の例えば地面そのもの等の構成によって設けても良い。
【００１５】
２は人工芝生である。
人工芝生２は、基布２２の表面側に複数の芝糸２１を植設し、この芝糸２１を固定するためのバッキング材２３を基布２２の裏面側に設けている。
植設した前記各芝糸２１の間には充填材を充填させた充填層２４を設けている。
【００１６】
前記人工芝生２は、ポリプロピレン製の平織りの織布を用いた基布２２に、ポリエチレン製モノフィラメントの芝糸２１を、カットパイル状に植設して芝葉を形成し、基布２２の裏面にウレタン樹脂等のバッキング材２３を塗布して前記芝糸２１の植設部分を固定している。
前記人工芝生２は基布２２にポリプロピレン製の織布を用いているが、これに限るものではなく、織物、編物、不織布等、芝糸２１を植設可能な公知の材料を利用できる。
また前記人工芝生２は、芝糸２１にポリエチレン製モノフィラメントを用いているが、これに限るものではなく、その糸の太さや材質、形状などを適宜選択して用いてよく、例えばポリエチレン製スプリットヤーンを芝糸２１として植設させてもよく、他の材質や太さの芝糸２１を用いても良い。
【００１７】
前記充填層２４は、人工芝生の表面に配置させた表面層２４ａと、表面層２４ａの下に接するように配置させた下層２４ｂと、下層の下方に配置させた底層２４ｃを備える三層構造に設けている。
前記充填層２４を構成する充填材は、硬質粒と、外力を受けたときに弾性的に変形する弾性粒と、天然ヤシをベースにしたヤシ充填材とを含んでいる。
具体的には、前記表面層２４ａを弾性粒のみで構成し、前記下層２４ｂを硬質粒とヤシ充填材とを混合させて構成し、前記底層２４ｃを硬質粒のみで形成している。
【００１８】
前記充填層２４は弾性粒として、スチレン樹脂系エラストマーの粒体を用いているが、これに限るものではなく、オレフィン樹脂系エラストマーなど他の合成樹脂エラストマーや、合成ゴムや天然ゴムの粒、廃棄ゴム製品の粉砕物などのリサイクル品などを単体または組み合わせて用いてもよい。
【００１９】
前記充填層２４は、硬質粒として、珪砂を用いているが、これに限るものではなく、珪砂以外の小石や砂、陶器の粒、樹脂ペレットなどの硬質の粒状体を単体又は組み合わせて用いても良い。
【００２０】
前記ヤシ充填材は、天然ヤシの粉砕物を用いており、具体的には、ヤシの実を粉砕して得られる粒体、粉体、繊維の混合物である。ヤシ充填材の粒体の大きさは大きいものでも５ｍｍ程度の大きさに形成している。
【００２１】
前記ヤシ充填材は、雨水や、散水等によって供給された水を保水し、温度が上昇するときにこれが気化して、気化熱により人工芝生の表面温度の上昇を抑制させる。前記ヤシ充填材を充填層２４へ含有させることで、特に夏場などの気温が上昇しやすい時期に人工芝生の敷設場所の温度を効果的に低下でき、熱中症の発生などを抑えることができる。
【００２２】
前記表面層２４ａは、前記下層２４ｂを覆うように形成しており、下層２４ｂに含まれる前記ヤシ充填材と外気との直接的な接触を抑制している。
このため、下層２４ｂのヤシ充填材が風などにさらされ保水する水分が早急に気化して乾燥するような状況が生じにくく、ヤシ充填材による温度上昇抑制効果を長時間維持できる。
【００２３】
また、前記表面層２４ａは弾性粒のみで形成している。
このため、人工芝生２の上を人が歩いたり、ボールなどが跳ね返るなどして人工芝生２の充填層２４が上方から外力をうけたときに、前記弾性粒が弾性的に変形して前記表面層２４ａで受けた外力を緩和させ、下層２４ｂ以下の充填材への力の伝達を抑制できる。
これによって、下層２４ｂに含まれるヤシ充填材が外力を受けることによって充填層２４内を移動するような状況が生じにくくなされ、下層２４ｂから移動したヤシ充填材が充填層２４の表面へ露出するような問題が生じにくくなされる。
前記表面層２４ａは弾性粒のみで形成しているが、これに限るものではなく、硬質粒など他の充填材を含有させたり、他の充填材のみで形成しても良い。しかしながら、下層２４ｂのヤシ充填材の移動を抑制させるために、表面層２４ａに弾性粒を５０体積％以上含有させるのが好ましく、弾性粒のみで形成するのがより好ましい。
【００２４】
前記表面層２４ａを形成する弾性粒からなる充填材は、その日射反射率が前記ヤシ充填材の日射反射率よりも大きくなるように形成している。
これによって、充填層２４が強い日光を受けた場合でも、表面層２４ａの温度が上昇して下層２４ｂの温度を上昇させ、下層２４ｂのヤシ充填材を急速に乾燥させるような問題を生じにくくできる。
前記表面層２４ａは、前記ヤシ充填材よりも日射反射率が大きな充填材のみで形成しているが、これに限るものではなく、表面層２４ａにヤシ充填材が含有されていても良く、表面層２４ａにヤシ充填材よりも日射反射率が小さな充填材が含有されていてもよい。しかしながら、下層２４ｂのヤシ充填材の乾燥を抑制して温度上昇抑制効果を長時間継続させるために、表面層２４ａにヤシ充填材よりも日射反射率が大きな充填材を５０体積％以上含有させるのが好ましく、表面層２４ａをヤシ充填材よりも日射反射率が大きな充填材のみで形成するのがより好ましい。
【００２５】
以下に、本発明に係る人工芝生２の実施例１について記載する。
芝糸２１をカットパイル状に植設した基布２２の上面に、硬質粒である珪砂を１０ｍｍの厚さに充填して前記底層２４ｃを形成する。
前記底層２１ｃの上へ、ヤシ充填材を１０ｍｍの厚さに充填し、更にその上へ珪砂を８ｍｍの厚さに充填して、上方からブラシを押し当てこれらを混合させ、前記下層２４ｂを形成する。
前記下層２４ｂの上面へ、スチレン樹脂系エラストマーを粒状に形成した弾性粒を１２ｍｍの厚さに充填し、表面層２４ａを形成して、実施例１の人工芝生２を設けた。
【００２６】
以下に、人工芝生２の比較例１について記載する。
芝糸２１をカットパイル状に植設した基布２２の上面に、硬質粒である珪砂を１０ｍｍの厚さに充填して前記底層２４ｃを形成する。
前記底層２４ｃの上へ、ヤシ充填材を１０ｍｍの厚さに充填し、更にその上へ珪砂を２０ｍｍの厚さに充填して、上方からブラシを押し当てこれらを混合させ、前記下層２４ｂを形成して、表面層２４ａを備えない比較例１の人工芝生２を設けた。
【００２７】
以下に、人工芝生２の充填層２４を構成する充填材の、日射反射率の測定方法について記載する。
最初に、下層２４ｂに含むヤシ充填材と表面層２４ａを形成する弾性粒の分光反射率を測定した。分光反射率の測定は、（株）島津製作所製の紫外・可視・近赤外 分光光度計  ＵＶ-３１５０を用い、波長２２０〜２６００ｎｍの範囲の分光反射率を１ｎｍ間隔で測定した。分光反射率の測定は、石英セルに充填材を密に充填させたサンプルで行った。
上記の測定データを用い、ＪＩＳ  ｋ  ５６０２：２００８に基づく方法で、近赤外域（３００ｎｍ〜７８０ｎｍ）、及び全波長域（３００ｎｍ〜２５００ｎｍ）の２つの波長範囲について、日射反射率を算出した。
各充填材についてサンプルを２個作成してそれぞれについて日射反射率を算出し、その平均値を各充填材の日射反射率とした。
【００２８】
上記の方法に基づき、前記実施例１及び比較例１の下層２４ｂに含むヤシ充填材の日射反射率を測定したところ、近赤外域の日射反射率が４８．８％、全波長域の日射反射率が２６．３％という測定結果を得た。
また、前記ヤシ充填材を水で濡らし、限界まで保水させた状態のものをサンプルとして日射反射率を測定したところ、近赤外域の日射反射率が３９．０％、全波長域の日射反射率が２１．０％という結果を得た。
そして、前記表面層２４ａを形成する弾性粒の日射反射率を測定したところ、近赤外域の日射反射率が６１．４％、全波長域の日射反射率が４３．８％という結果を得た。即ち、前記実施例１の表面層２４ａは、下層２４ｂに含む前記ヤシ充填材よりも大きな日射反射率を有している充填材で形成している。
【００２９】
以下に、人工芝生２の上記実施例１と、比較例１の温度測定方法について記載する。
実施例１と比較例１の各人工芝生２について、縦３０ｃｍ、横３０ｃｍの大きさのサンプルを作成し、その上面へ霧吹きを利用して１リットル／平方メートルの割合で水を吹きかけた。
濡れた状態となされたサンプルの斜め上方から５００Ｗのハロゲンランプの光を照射して、サンプルの上面を加熱した。サンプルを加熱する前記ハロゲンランプは、サンプルの上面から３５ｃｍ離れた位置で、その光の中心がサンプルの上面中央に対して６５度の角度となるように配置した。
ハロゲンランプの光の照射開始時点から１０分間隔でサンプルの表面温度を測定した。サンプル表面温度の測定は、サンプルの真上に配置したＡｐｉｓｔｅ社製のサーモグラフィー  ＦＳＶ−７０００Ｓを利用して、表面温度の平均値を測定した。
【００３０】
上記の方法で実施例１と比較例２の人工芝生２の表面温度を測定した結果は、図２の表とグラフに示すとおりである。
実施例１の表面温度は、光を照射する加熱を開始した時点から１０分経過するまでは比較例１よりも高く、これは、比較例１の充填層２４の表面に露出するヤシ充填材による温度上昇抑制効果によるものと考えられる。
これに対し、加熱を開始してから１２分が経過した後はその表面温度が逆転し、実施例１が比較例１よりも低い表面温度となされていることが確認できた。更に、実施例１の表面温度が比較例１よりも低い状態は、加熱開始２０分経過から６０分経過まで維持されており、実施例１の充填層２４の温度上昇抑制効果がより長時間維持されていることが確認できた。
【００３１】
本発明に係る人工芝生２は、上記実施形態に限定されるものではなく、本発明の要旨を逸脱しない範囲で種々の変更が可能である。
例えば、底層２４ｃを硬質粒ではなくヤシ充填材や弾性粒や硬質粒を選択または組み合わせて形成してもよい。
また、前記下層２４ｂをヤシ充填粒と硬質粒とを混合させて設けるのではなく、他の硬質粒や弾性粒を選択又は組み合わせてヤシ充填粒と混合させてもよく、ヤシ充填材のみで形成させてもよい。
実施例１の充填層２４の、表面層２４ａとヤシ充填材を含む下層２４ｂとの間に、ヤシ充填材を含まない別の層を設けても良いが、ヤシ充填材による温度上昇抑制効果を効率的に得るために、表面層２４ａに接する下層２４ｂにヤシ充填材を含有させるのが好ましい。
【００３２】
また、前記実施例１の人工芝生２の充填層２４は、底層２４ｃと、下層２４ｂと、表面層２４ａとを備える三層構造に設けているが、これに限るものではない。例えば、前記底層２４ｃを備えない二層構造に設けてもよく、前記底層２４ｃを二層以上形成する四層以上の構造に設けても良い。
【符号の説明】
【００３３】
１    基礎層
２    人工芝生
２１  芝糸
２２  基布
２３  バッキング層
２４  充填層
【図１】
2018123522.tif 000003
【図２】
2018123522.tif 000004